(57)【要約】【課題】篩枠を一段あるいは複数段積み重ねてた振動篩機の篩網上に、穀粉などの粉粒体を供給し、該篩網により原料粉粒体を粒度により選別する篩枠に関し、滅菌効果を高めた篩枠を用いた振動篩機を提供する。【解決手段】篩網（４）を張設した内枠（２）のフルイ目を通過した粉粒体を受ける外枠（６）の底部に設けた流し板（７）をアルミニューム合金で形成するとともに、該流し板（７）を形成するアルミニウム合金の多孔質陽極酸化皮膜に銀イオンを電着して封孔浸透処理して成る表面（８）とした篩枠に形成する。【選択図】  図２
2005013954.tif 000002
【特許請求の範囲】
【請求項１】
篩枠体の上部枠体に張設して成る篩網上に、原料粉粒体を供給し、振動を含む水平円運動又は前後運動の付加手段により、該篩枠体を振蘯させて、篩網上の原料粉粒体を粗粒粉体と微細粉体とに篩い分ける振動篩装置において、篩網を通過し篩枠体内に落下篩分けされた微細粉体を受けるともに、該微細粉体を所定の方向に寄せ集め排出する流し板の表面を抗菌材料で処理したことを特徴とする振動篩機。
【請求項２】
篩枠体の上部枠体に張設して成る篩網上に、原料粉粒体を供給し、振動を含む水平円運動又は前後運動の付加手段により、該篩枠体を振蘯させて、篩網上の原料粉粒体を粗粒粉体と微細粉体とに篩い分ける振動篩装置において、篩網を通過し篩枠体内に落下篩分けされた微細粉体を受けるともに、該微細粉体を所定の方向に寄せ集め排出する流し板及び粉体と接する流出経路の表面を抗菌材料で処理したことを特徴とする振動篩機。
【請求項３】
前記流し板の表面がアルムニウム合金の多孔質陽極酸化皮膜に銀イオンを電着して封孔浸透処理してなる成ることを特徴とする請求項１記載の振動篩機。
【請求項４】
微細粉体流出用スリット、粗粒粉体流下傾斜口、排出ホッパーなどの粉体と接する流出経路の表面が、アルムニウム合金の多孔質陽極酸化皮膜に銀イオンを電着して封孔浸透処理してなる成ることを特徴とする請求項２記載の振動篩機。
【発明の詳細な説明】
【０００１】
【発明が属する技術分野】
この発明は、穀粉等の原料粉粒体を粒度により選別する篩枠体を、単層又は多段に積層した篩分け装置を備えた振動篩機に関する。
【０００２】
【従来の技術】
穀粉等の原料粉粒体を粒度により選別するための振動篩機の篩分け装置として篩枠体が一段の単層式あるいは、多数積み重ねた多層篩体ユニットに形成し、該単層篩枠体あるいは多層篩枠体ユニットを、駆動装置により水平運動または前後運動（振動も含む）させて篩分け作業を行う振動篩機が広く用いられている。
【０００３】
従来のこの振動篩機の振動篩装置に用いられる篩枠体には、種々の形式のものがあるが、代表的な篩枠体の一例を図４により説明する。
図に示すとおり篩枠体は四辺形状の内枠ａと、該内枠ａを嵌合する四辺形状の外枠ｄの対からなり、内枠ａの上面に穀粉等の原料粉粒体を微細粉体と粗粒粉体とに分離するための所定の大きさのフルイ目を有する篩網ｂが張られている。また、この内枠ａの前面を粗粒粉体流下傾斜面ｃに形成して成る。
【０００４】
この内枠ａを嵌合する外枠ｄの底部に、内枠ａの篩網ｂを通過した微細粉体を受ける流し板ｅを設け、該流し板ｅの左又は右又は左右両端部に、微細粉体流出用スリットｆと該スリットｆと連通する微細粉体落下用開口部ｇを設けた形状からなる。
また、外枠ｄの前面に内枠ａの粗粒粉体流下傾斜面ｃからの粗粒粉体を、次段の篩枠体に流下させるか、又は外部へ排出させる粗粒粉体落下用開口部ｈを設けた構造からなる。なお、外枠と内枠とを予め一体に構成した篩枠体もある。
【０００５】
上記の様に構成した単体の篩枠体、あるいは複数の篩枠体の前後を交互に多数段積み重ねた篩枠体群を、筺体又は支持用固定部材で水平に支持し、偏心軸と駆動軸からなる駆動手段又は偏重錘の駆動手段により水平運動または、前後運動により穀粉などの粉粒体を篩い分けしている。
【０００６】
【発明が解決しようとする課題】
上記のように従来の篩機の篩枠体は、篩網面と流し板及び粉体排出通路より構成されており、粉粒体は篩網上に供給され網目をスルーしたものは、その下の流し板により定められた通路に導かれ、オーバーしたものは別に定められた通路を通って次段の篩枠体の篩網上又はオーバー出口に導かれて篩分けされるものである。
前記の流し板は鉄板あるいはステンレス板製から成り、雑菌があった場合に雑菌の増殖を抑えることができない問題がある。
【０００７】
【課題を解決するための手段】
上記の課題を解決するために、この発明は単層あるいは複数段積層して用いる振動篩機の篩枠の枠体上面に張設して成る篩網上に、原料粉粒体を供給し振動を含む水平円運動又は前後運動の付加手段により、該篩枠体を振蘯させて、篩網上の原料粉粒体を粗粒粉体と微細粉体とに篩い分けし、篩網から篩枠体内に落下篩分けされた原料微細粉体をオーバー出口又は、下段に位置する枠体内に流下させ、前記篩分けされた原料微細粉体をさらに篩分けする多層式あるいは単層式の振動篩装置において、篩網を張設した四角形状の枠体の網目を通過した微細粉体を受けるともに、該微細粉体を落下用開口に流下させる流し板と、粗粒粉体を網外に排出する粗粒粉体用開口部を有する外枠に嵌合して成る篩枠体、又は枠体と外枠が一体となった篩枠の、前記流し板をアルミニウム合金で形成し、当該アルミニウム合金の多孔質陽極酸化被膜に銀イオンを電着して封孔浸透処理して成る材料で形成した篩枠を用いた振動篩機に構成したことである。
【０００８】
また、微細粉体流出用スリット、粗粒粉体流下傾斜口、排出ホッパーなどの粉体と接する流出経路の表面が、アルムニウム合金の多孔質陽極酸化皮膜に銀イオンを電着して封孔浸透処理してなる成ることを特徴とする振動篩機に構成したことである。
【０００９】
この発明は、上記のように篩網面と流し板及び流通路より構成されてる篩機で、あるから、上段の篩枠体の枠体上面の篩網に供給され、該篩網の網目をスルーした原料の微細粉体は、前記篩網の下方に配設されている流し板の上面に落下し、定められた通路に導かれ、一方、前記網面をオーバーした原料の粗粒粉体は、別に定められた通路を通って次段の篩枠体の篩網上に、あるいはオーバー出口に導かれ、篩分けされるものであるが、流し板及び粉体の流通経路に滅菌効果のある材料を使用しているので、流し板面に落下した原料の微細粉体を、篩分けと同時に滅菌することができる。
【００１０】
【発明の実施の形態】
この発明の実施の形態を実施例にもとづき図面を参照して説明する。
図１〜２において、１は振動篩機に用いる篩枠体で、該篩枠体は内枠２と嵌合する外枠６の対からなり、内枠２は四辺形の枠体に補強部材３を十字状に組み込み、それら枠体の上面に所定の大きさのフルイ目を有する篩網４を張設して成る。
また、内枠２の前面を傾斜面に形成し、該傾斜面を篩網面に供給した原料粉粒体のうちのフルイ目をオーバーした原料粉粒体の粗粒粉体を、次段の篩枠体に導き流下させる粗粒粉体流下傾斜口５に形成した内枠２とする。
【００１１】
内枠２と嵌合する外枠６の底部に、前記内枠２のフルイ目を通過した原料微細粉を受け止める流し板７を設ける。  この流し板７は表面を抗菌化処理をするために、流し板７のアルミニウム合金の多孔質陽極酸化被膜に銀イオンを電着して封孔浸透処理し成る材料で形成する。
また、外枠６の上部に内枠２の篩網４の下面と対峙するようにクリンプ網９が張設して成る。このクリンプ網９の上面にクリンプ用クリーナー１０を配置する。
また、流し板７の上面には、流し板用のクリーナー１１を配置する場合もある。
さらに、外枠６の側端部に微細粉体流出用のスリット１２を形成し、該スリット１２と連通する微細粉体落下用開口部１３を設けた篩枠体１を形成する。
これらの粉体の流出経路及び排出ホッパー１９などの粉体と接触する表面を抗菌化処理をするために、アルミニウム合金の多孔質陽極酸化被膜に銀イオンを電着して封孔浸透処理し成る材料で形成する。
【００１２】
この様に形成した篩枠体１を、図３に示す振動篩機１４の架台１５上に複数段積層し、積層した篩枠体群を支持固定部材１６で固定した後、篩枠体１に原料粉粒体を供給し、駆動装置１８により揺動杆１７を揺動し、振動を含む水平円運動又は前後運動の付加手段により、篩枠体１を振蘯させて篩網４上の原料粉粒体を粗粒粉体と微細粉体とに篩い分けし、オーバーした粗粒粉体を下段に位置する篩枠体内に順次流下させ篩分け作業をおこなう。
【００１３】
なお、実施例では篩枠体１を外枠６に内枠２を嵌合する形式の篩枠体及び多層積層篩機について説明したが、内枠２と外枠６とが一体構造の篩枠体もあり、これに限定されるものではなく、また、篩枠体を振動用駆動装置の上部架台に載置した例を説明したがこれに限定されるものでなく、篩枠体を振動用駆動装置の側方に並設しても良い。
【００１４】
この作業において、篩網４から流し板７の上面に落下した原料の微細粉体は、該流し板７及び流通経路を殺菌効果のあるアルミニウム合金の多孔質陽極酸化被膜に銀イオンを電着して封孔浸透処理して成る材料で形成したので、落下した微細粉体の雑菌の増殖を簡易に抑えることが期待できる。
【００１５】
【発明の効果】
この発明は上記の構成にしたので、
▲１▼粉粒体の篩い分けと同時に滅菌することができ、工程を簡素化することができる。
▲２▼網の運動に伴う拡散効果で効率良く滅菌効果のある流し板に分散接触させることができる。
▲３▼滅菌装置としては一般的に熱、圧力、光線などを使用したものがあるが、それらに比べると非常に廉価で、しかも被化工物の変質を伴わない。
▲４▼流し板をジグザグに複数段設けることにより、被接触物の接触距離と時間を延ばすことにより、さらに滅菌効果を高めることができる。
▲５▼流し板上に付着したり停滞した粉粒がある場合、そこでの雑菌の増殖を抑えられるし、むしろ時間経過とともに滅菌効果は大きくなる。等の作用効果を奏することができる。
【図面の簡単な説明】
【図１】この発明の篩枠体の一実施例の平面図である。
【図２】同上の中央横断面図。
【図３】多段積層式振動篩機の正面図。
【図４】従来の篩枠体を構成する内枠と外枠の斜視図
【符号の説明】
１  篩枠体
２  内枠
３  補強部材
４  篩網
５  粗粒粉体流下用傾斜口
６  外枠
７  流し板
８  銀イオンを電着して封孔浸透処理して成る上面
９  クリンプ網
１０  クリンプ網用クリーナ
１１  流し板用クリーナ
１２  微細粉体流出用スリット
１３  微細粉体落下用開口部
１４  多段積層篩機
１５  架台
１６  支持固定部材
１７  揺動杆
１８  駆動装置
１９  排出ホッパー
【図１】
2005013954.tif 000003
【図２】
2005013954.tif 000004
【図３】
2005013954.tif 000005
【図４】
2005013954.tif 000006